(57)【要約】      （修正有）【課題】長靴に後付けや単独装着が可能な足楽器具を提供する。【解決手段】合成樹脂製等で、柔軟性のある気道管２と気道弁４を構築し長靴１の底側面や胴長靴底部に設置し、水中や泥沼で足を引き抜く時に足を取られるのを軽減する。気道管２を通じて気道弁４から靴底の底面に空気を吸入することで、足を引き抜き易く長靴等で水中や泥沼の歩行をしやすく、気道弁４の開閉は、合成樹脂製の浮力と軽さの可動弁を作成し取り付け、水中等では可動弁を押し上げ気道管に水等の侵入を防ぎ、足を引き抜く時に長靴１の底部が真空となり可動弁４を移動し、気道管２から空気を吸入し長靴底の真空を打破して、長靴等で水中や泥沼の歩行を補助する。後付や単独装着が可能であることを特徴とする。【選択図】図１
2020006116.tif 000002
【特許請求の範囲】
【請求項１】
合成樹脂製等で、柔軟性のある気道管に気道弁を構築し長靴の底側面や胴長靴の底部に設置、水中や泥沼で足を引き抜く時に足を取られるのを軽減する、足を引き抜く時に気道管を通じて気道弁から底面に空気を吸入させ、長靴等での水中や泥沼の歩行を補助することを特徴とする、足楽器具。
【請求項２】
請求項１に記載の、足楽器具は、長靴や胴長靴に気道弁を取り付け気道弁の開閉は、合成樹脂製の浮力を持った可動弁を取り付けて、水中等では可動弁を押し上げて気道管に水等の侵入を防いで、足を引き抜く時には長靴底部が真空となり、可動弁が移動し気道管から空気を吸入して長靴底での真空を打破し、長靴等で水中や泥沼の引き抜き歩行を補助する、器具は後付け装着も可能なことを特徴とする、足楽器具。
【発明の詳細な説明】
【技術分野】
【０００１】    本発明は、合成樹脂製等で、柔軟性のある気道管に気道弁を構築し長靴の底側面や胴長靴の底部に設置、水中や泥沼で足を引き抜く時に足を取られること軽減する、気道管を通じて気道弁から長靴の底面に空気を送ることで、足を引き抜き易くし長靴等で水中や泥沼の歩行を補助し、長靴や胴長靴に気道を取り付け気道弁の開閉は、合成樹脂製で浮力を持った可動弁を取り付け、水中等では可動弁を押し上げ気道管に水等の侵入を防ぎ、足を引き抜く時には長靴底部が真空となり、可動弁が移動し気道管から空気を吸入して長靴底の真空を打破して、長靴等の水中や泥沼での引き抜き歩行を補助し，気道管器具は後付けや単独装着が可能で、あることを特徴とする、足楽器具が提供される。
【背景技術】
【０００２】    現在使用の長靴装着具は、長靴内部の蒸れの排出や降雪又は凍結時の滑り止め装着具や、バックル材スパイクの装着具類である。
【先行技術文献】
【０００３】
【特許文献１】実用３１９９１２３
【特許文献２】特開２０１８−６４８６８
【特許文献３】特開２００３−２４１０７
【発明の概要】
【発明が解決しようとする課題】
【０００４】上記特許文献  １に示す器具は、降雪又は凍結時の滑り止め用の器具で剛性の蝶番で連結し長靴に装着する滑り止め具で有り、限定的である。
上記特許文献  ２に示す器具は、長靴の底に足首から固定し山歩きを行う、バックル材の歩行補助具である。
上記特許文献  ３に示す器具は、長靴内部の湿度を排出させる通気路を、縦溝状に内部側面に構築し連通させたものであり、限定的である。【０００５】    本発明は、合成樹脂製等で、柔軟性のある気道管と気道弁を構築し長靴の側面や胴長靴に設置し、水中や泥沼で足を引き抜く時に足を取られるのを軽減、気道管を通じて気道弁から靴底の底面に空気を送ることで足を引き抜き易くし、長靴等で水中や泥沼の歩行をしやすく長靴や胴長靴に気道弁を取り付け気道弁の開閉は、合成樹脂製の浮力と軽さの可動弁を取り付け、水中等では可動弁を押し上げ気道管に水等の侵入を防ぎ、足を引き抜く時には長靴底部が真空となり、可動弁が移動し気道管から空気を吸入して長靴底の真空を打破する、気道管器具は後付けや単独装着が可能であることを特徴とする、足楽器具である。
【課題を解決するための手段】
【０００６】    上記、課題を解決するため、本発明は、合成樹脂製等で、柔軟性のある気道管と気道弁を構築し長靴の底側面や胴長靴に設置し、水中や泥沼で足を引き抜く時に足を取られるのを軽減する、気道管を通じて気道弁から靴底の底面に空気を送ることで足を引き抜き易くする、足楽器具。【０００７】  長靴等で水中や泥沼の歩行をしやすく長靴や胴長靴底に、気道弁を取り付け気道弁の開閉は、合成樹脂製の浮力を持った可動弁を取り付け、水中では可動弁を押し上げ気道管に水等の侵入を防ぎ，足を引き抜く時に長靴底が真空となり可動弁が移動して、気道管から空気を吸入して長靴底の真空を打破することを特徴とする、足楽器具。【０００８】  足楽器具は後付けや単独装着が可能で，長靴等で水中や泥沼の歩行を補助することを特徴とする、足楽器具である。
【発明の効果】
【０００９】    合成樹脂製等で、柔軟性のある気道管と気道弁を構築し長靴の底側面や胴長靴に設置し、水中や泥沼で足を引き抜く時に足を取られるのを軽減する、気道管を通じて気道弁から靴底の底面に空気を送ることで足を引き抜き易くし、長靴等で水中や泥沼の歩行をしやすく、長靴や胴長靴に気道弁を取り付け気道弁の開閉は、合成樹脂製の浮力と軽さの可動弁を取り付け、水中等では可動弁を押し上げ気道管に水等の侵入を防ぎ、足を引き抜く時に長靴底が真空となり可動弁が移動し、気道管から空気を吸入して長靴底の真空を打破、後付けや単独装着が可能で長靴等で水中や泥沼の歩行を、補助することを特徴とする、足楽器具である。【００１０】  本発明は、合成樹脂製等で、柔軟性のある気道管と気道弁を構築し長靴の底側面や胴長靴に設置し、水中や泥沼で足を引き抜く時に足を取られるのを軽減する、気道管を通じて気道弁から靴底の底面に空気を送ることで足を引き抜き易くする、ことを特徴とする、足楽器具である。【００１１】    長靴等で水中や泥沼の歩行しやすく長靴や胴長靴底に、気道弁を取り付け気道弁の開閉は、合成樹脂製の軽く浮力を持った可動弁を取り付け、水中では可動弁を押し上げて封鎖し気道管に水等の侵入を防ぎ、足を引き抜く時に長靴底が真空となり可動弁が移動し、気道管から空気を吸入し長靴底の真空を打破することを特徴とする、足楽器具である。【００１２】  気道管器具は後付けや単独装着が可能で，長靴等で水中や泥沼の歩行を、補助することを特徴とする、足楽器具である。
【図面の簡単な説明】
【００１３】
【図１】本発明となる長靴に装着した、足楽器具の装着図。
【図２】（Ａ）は、気道弁と気道口を封鎖の斜視図と（Ｂ）は、可動弁の図。
【図３】（Ｃ）は、気道弁に可動弁を構成する斜視図と、（Ｄ）気道管の斜視図。
【発明を実施するための形態】
【００１４】〔図１〕は、長靴１の底側面に装着した、気道管２と気道弁３の装着図。
〔図２〕（Ａ）は、気道口３のある気道管２に気道弁４を連結し、可動弁５を可動弁保持紐８で保持でき、可動弁５が気道口３を封鎖している斜視図。
〔図２〕（Ｂ）は、柔軟性のある可動弁５の斜視図。
〔図３〕（Ｃ）は、気道管２に気道弁４を連結し、気道弁４に可動弁５を可動弁保持紐８で保持し、水中等で長靴を引き抜くことで靴底部が真空となり、可動弁５が移動７して気道口３から、空気６が吸入され真空状態を打破する、構成図。
〔図３〕（Ｄ）は、気道管２の気道口３に異物吸入防止の気道管網９を設置した、斜視図。
【産業上の利用可能性】
【００１５】  本発明は、合成樹脂製等で、気道管と気道弁を構築し長靴の底側面や胴長靴底部に設置し、水中や泥沼で足を引き抜く時に足を取られるのを軽減する、気道管を通じて気道弁から靴底の底面に空気を吸入することで、足を引き抜き易く長靴等で水中や泥沼の歩行がしやすい、長靴や胴長靴に気道弁を取り付け気道の開閉は、合成樹脂製の浮力と軽さの可動弁を作成し取り付け、水中等では可動弁を押し上げ気道管に水等の侵入を防ぎ、足を引き抜く時に長靴の底部が真空となり可動弁を移動し、気道管から空気を吸入し長靴底の真空を打破して、長靴等で水中や泥沼の歩行を補助し、足楽器具は後付けや単独装着が可能なことを特徴とする、足楽器具が提供される。
【符号の説明】
【００１６】１    長靴              ７    移動
２    気道管            ８    可動弁保持紐
３    気道口            ９    気道管網
４    気道弁
５    可動弁
６    空気
【図１】
2020006116.tif 000003
【図２】
2020006116.tif 000004
【図３】
2020006116.tif 000005